(57)【要約】  この発明は、公共および民間の建物（３１）において電子的に制御可能な装置（３３、３５、３７）およびシステムを制御するための構成（１）、ならびに、公共および民間の建物（３１）において電子的に制御可能な装置（３３、３５、３７）およびシステムを制御するための方法に関する。このため、建物自動化のための構成（１）および方法は、ユーザ（４５）が個々の制御コマンドの効果を前もって知らなくても、自分の要望に応じた組合わされた制御ルーチンを生成できるように改良されている。さらに、制御ルーチンは、ユーザによる要求に応じてユーザに提案される。
2016524425.tif 000002
【特許請求の範囲】
【請求項１】
公共および民間の建物（３、３１）において電子的に制御可能な装置（３３、３５、３７、５９ａ、５９ｂ、５９ｃ）およびシステムを制御するための構成（１）であって、
少なくとも１つの装置（３３、３５、３７、５９ａ、５９ｂ、５９ｃ）および／またはシステムと、装置（３３、３５、３７、５９ａ、５９ｂ、５９ｃ）のおよび／またはシステムの機能を制御するためのコマンド（１７、５３ａ、５３ｂ、５３ｃ、５７ａ、５７ｂ、５７ｃ、５７ｄ、５７ｅ）を発行するために建物（３、３１）と関連付けられた制御装置（２３、２５、２７、４１）とを含み、
装置（３３、３５、３７、５９ａ、５９ｃ、５９ｃ）またはシステムは、その状態を、制御装置（２３、２５、２７、４１）の制御コマンドの機能として選択的に変更するように構成されており、
構成（１）は、
制御装置（２３、２５、２７、４１）の制御コマンド（１７、５３ａ、５３ｂ、５３ｃ、５７ａ、５７ｂ、５７ｃ、５７ｄ、５７ｅ）を記録するための装置（２３、３５、３９）が設けられ、
ユーザ（４５）が、記録された制御コマンド（１７、５３ａ、５３ｂ、５３ｃ、５７ａ、５７ｂ、５７ｃ、５７ｄ、５７ｅ）のうちの１つまたは複数を、選択可能な制御ルーチン（１５、５１、５５）と関連付けることを可能にする、関連付け装置（２３、２５、３９）が設けられることを特徴とする、構成（１）。
【請求項２】
選択された期間、特に経過した期間における制御コマンド（１７、５３ａ、５３ｂ、５３ｃ、５７ａ、５７ｂ、５７ｃ、５７ｄ、５７ｅ）を表示するために、表示装置（２５）が設けられることを特徴とする、請求項１に記載の構成（１）。
【請求項３】
制御コマンド（１７、５３ａ、５３ｂ、５３ｃ、５７ａ、５７ｂ、５７ｃ、５７ｄ、５７ｅ）を記録するための装置（２３、２５、３９）は、ユーザ（４５）によって起動された制御コマンド（１７、５３ａ、５３ｂ、５３ｃ、５７ａ、５７ｂ、５７ｃ、５７ｄ、５７ｅ）のみを記録するように構成されていることを特徴とする、請求項１または２に記載の構成（１）。
【請求項４】
相互に関連する制御コマンド（５３ａ、５３ｂ、５３ｃ、５７ａ、５７ｂ、５７ｃ、５７ｄ、５７ｅ）を制御ルーチン（５１、５５）と関連付けるようにユーザ（４５）に提案する、相互に関連する制御コマンド（５３ａ、５３ｂ、５３ｃ、５７ａ、５７ｂ、５７ｃ、５７ｄ、５７ｅ）を識別するための装置（２３、２５）が設けられることを特徴とする、前述の請求項のうちの１項に記載の構成（１）。
【請求項５】
識別するための装置（２３、２５）は、制御コマンド（５３ａ、５３ｂ、５３ｃ、５７ａ、５７ｂ、５７ｃ、５７ｄ、５７ｅ）を付随的なものとして識別するように構成されており、制御コマンドは予め定められた期間内で提供され、期間は多くて１５分、有利には多くて１０分、特に多くて５分であることを特徴とする、請求項４に記載の構成（１）。
【請求項６】
識別するための装置（２３、２５）は、制御コマンド（５３ａ、５３ｂ、５３ｃ、５７ａ、５７ｂ、５７ｃ、５７ｄ、５７ｅ）を相互に関連するものとして識別するように構成されており、制御コマンドは、特定の空間（７）のシステムまたは装置（３５、３７、５９ａ、５９ｂ、５９ｃ）のために発行されることを特徴とする、請求項４または５に記載の構成（１）。
【請求項７】
記録するための装置（２３、２５）は、記録の開始点および／または終了点がユーザ（４５）によって決定可能であるように構成されており、関連付け装置（２３、２５）は、すべてのそのような記録された制御コマンドを制御ルーチンと関連付けるように構成されているということが有利に提供されることを特徴とする、前述の請求項のうちの１項に記載の構成（１）。
【請求項８】
制御装置（２３、２５、２７、４１）は、予め定められた時点で、および／またはユーザ（４５）による起動の直後に、制御ルーチン（１５、５１、５５）を自動的に実行するように構成されていることを特徴とする、前述の請求項のうちの１項に記載の構成（１）。
【請求項９】
構成（１）は、ユーザ（４５）が、既存の制御ルーチン（１５、５１、５５）から制御コマンド（１７、５３ａ、５３ｂ、５３ｃ、５７ａ、５７ｂ、５７ｃ、５７ｄ、５７ｅ）を除去すること、または制御コマンドを制御ルーチンと関連付けることを可能にするように構成されていることを特徴とする、前述の請求項のうちの１項に記載の構成（１）。
【請求項１０】
公共および民間の建物（３、３１）において電子的に制御可能な装置（３３、３５、３７、５９ａ、５９ｂ、５９ｃ）およびシステムを制御するための方法であって、
建物（３、３１）と関連付けられた少なくとも１つの装置（３３、３５、３７、５９ａ、５９ｂ、５９ｃ）および／またはシステムと、装置（３３、３５、３７、５９ａ、５９ｂ、５９ｃ）および／またはシステムの機能を制御するためのコマンド（１７、５３ａ、５３ｂ、５３ｃ、５７ａ、５７ｂ、５７ｃ、５７ｄ、５７ｅ）を発行するための制御装置（２３、２５、２７、４１）とが設けられ、装置またはシステムは、その状態を、制御装置（２３、２５、２７、４１）の制御コマンド（１７、５３ａ、５３ｂ、５３ｃ、５７ａ、５７ｂ、５７ｃ、５７ｄ、５７ｅ）の機能として選択的に変更するために構成されており、
方法は、
制御装置（２３、２５、２７、４１）の制御コマンド（１７、５３ａ、５３ｂ、５３ｃ、５７ａ、５７ｂ、５７ｃ、５７ｄ、５７ｅ）が記録され、
ユーザ（４５）が、記録された制御コマンド（１７、５３ａ、５３ｂ、５３ｃ、５７ａ、５７ｂ、５７ｃ、５７ｄ、５７ｅ）のうちの１つまたは複数を、選択可能な制御ルーチン（１５、５１、５５）と関連付けることができることを特徴とする、方法。
【発明の詳細な説明】
【技術分野】
【０００１】
発明の分野
この発明は、請求項１の前文に従った、公共および民間の建物において電子的に制御可能な装置およびシステムを制御するための構成、ならびに、請求項１０の前文に従った、公共および民間の建物において電子的に制御可能な装置およびシステムを制御するための方法に関する。
【背景技術】
【０００２】
発明の背景
建物自動化のためのこの一般的なタイプの構成および方法が、当該技術分野において公知である。このため、公知のシステムが、個々の装置をそれぞれの制御コマンドで制御することを容易にする。
【０００３】
さらに、ソムフィ（Somfy）社製のタホマ（Tahoma）というシステムから公知であるように、制御ルーチンを用いてともに制御され得る組合わされたアクションを構成するオプションもある。このため、関連付けられたコンピュータ機器を有する分散型の建物サーバが、それぞれの建物で必要とされる。ユーザは次に、システムのための所望の制御コマンドを予め定め、呼び出し可能な制御ルーチンの下でそれらの制御コマンドを組合わせる。しかしながらここで、ユーザは、意図された組合わされた制御ルーチンで自分が実際にどの制御コマンドを行ないたいかを、前もって考慮しなければならない。しかしながらこれは、大抵のユーザにとって、大変複雑な事態を伴ってのみ可能であり、快適な態様では不可能である。
【発明の概要】
【発明が解決しようとする課題】
【０００４】
発明の簡単な概要
このため、この発明の目的は、ユーザが個々の制御ルーチンの効果を前もって知らなくても、自分の要望を満たす組合わされた制御ルーチンを生成できるように、建物自動化のための構成および方法を改良することである。特に、要求に応じて制御ルーチンをユーザに提案する建物自動化が提供されるであろう。
【課題を解決するための手段】
【０００５】
この目的は、請求項１に従った、公共および民間の建物において電子的に制御可能な装置およびシステムを制御するための構成、ならびに、請求項１０に従った、公共および民間の建物において電子的に制御可能な装置およびシステムを制御するための方法によって達成される。有利な実施形態は、独立請求項で提供される。
【０００６】
驚いたことに、発明者らは、ユーザの実行された制御コマンドが記録されるという点、およびユーザがこれらの記録された制御コマンドを制御ルーチンと関連付けることができるという点で、この目的が達成できる、ということを得た。
【０００７】
これらは記録された制御コマンドであるため、ユーザを制御するために実際に使用される制御コマンドが、制御コマンドの成功を直接検出でき、実体的な制御ルーチンのためにこのコマンドが使用可能かどうかを判断できる。
【０００８】
公共および民間の建物において電子的に制御可能な装置およびシステムを制御するためのこの発明に従った装置は、
−  建物と関連付けられた少なくとも１つの装置および／またはシステムと、
−  装置および／またはシステムの機能を制御するためのコマンドを発行するための制御装置とを含み、
装置またはシステムは、制御装置の制御コマンドの機能としての選択的な状態変更のために構成されており、
装置またはシステムは、制御装置の制御コマンドを記録するための装置が設けられ、ユーザが、記録された制御コマンドのうちの１つまたは複数を、選択可能な制御ルーチンと関連付けることを可能にする、関連付け装置が設けられることを特徴とする。
【０００９】
関連付けられた不動産は、公共および民間の建物の一部である。
有利には、選択された期間、特に経過した期間における制御コマンドを表示するために、表示装置が設けられる。このため、ユーザは、制御ルーチンを形成するために、選択された期間からの制御コマンドを組合わせることができる。なぜなら、ユーザには、この期間に関連した制御コマンドのみが表示されるためである。
【００１０】
特に有利な一実施形態では、制御コマンドを記録するために構成された装置は、ユーザによってトリガされた制御コマンドのみを記録する、ということが提供される。これは、ユーザにとって好適な制御コマンドの選択を容易にする。なぜなら、建物自動化システムによって自動的に行なわれる制御、たとえば天気に依存する制御は、繰返しルーチンにとってはめったに好適ではないためである。しかしながら、ユーザがそのような自動制御をさらに改良したい場合、そのようなコマンドを記録することは有用であり得る。たとえば、暖房システムの気温に依存する低減制御は、空調システムをオンにすることおよび／または日よけを広げることと、制御された態様で組合わされ得る。
【００１１】
別の有利な実施形態では、相互に関連する制御コマンドを制御ルーチンと関連付けることをユーザに提案する、相互に関連する制御コマンドを識別するための装置が設けられる。このため、制御コマンドの効果を記憶することは、ユーザにとってもはや必要ではないものの、相互に関連するそのような制御コマンドのみが、ルーチンのために提案される。
【００１２】
有利な一実施形態では、識別するための装置は、相互に関連する制御コマンドを識別するように設けられており、制御コマンドは予め定められた期間内で発行され、期間は有利には多くて１５分、有利には多くて１０分、特に多くて５分である。このため、狭い時間窓内で発行された制御コマンドは相互に関連しており、したがって繰り返し呼び出される、ということが仮定される。
【００１３】
これに代えて、またはこれに加えて、識別装置は、制御コマンドを相互に関連するものとして識別するように構成されており、制御コマンドは、ある空間のシステムまたは装置のために発行される、ということが提供され得る。このため、空間は、部屋などであるだけでなく、庭などの開けた区域でもある。
【００１４】
制御コマンドはまた、ユーザ自身によって発行された制御コマンドであってもよく、または、建物自動化システムによって自動的に発行された制御コマンドであってもよい。なぜなら、それらはユーザによって既に前もってプログラムされたものであるか、または、それらはシステム自体によって引き起こされたものであるためである。
【００１５】
特に有利には、記録装置は、記録の開始点および／または終了点がユーザによって決定可能であるように構成されており、関連付け装置は、すべての記録された制御コマンドを制御ルーチンと関連付けるように構成されているということが有利に提供される。このため、ユーザは、効果をチェックするために、および次に、関連付けられた制御コマンドを制御ルーチンと関連付けるために、装置およびシステムのために自分が発行した制御コマンドの記録を行なうことができる。
【００１６】
有利には、制御装置は、予め定められた時点で、および／またはユーザによる起動の直後に、制御ルーチンを自動的に実行するように構成されている。
【００１７】
別の有利な実施形態では、構成は、ユーザが、既存の制御ルーチンから制御コマンドを除去すること、または制御コマンドを既存の制御ルーチンと関連付けるように適合されている、ということが提供される。このため、制御ルーチンは最初に検査され、その後、必要に応じて変更され得る。
【００１８】
特に有利な一実施形態では、構成を制御するために使用されるプログラム、データおよび／またはルーチンが集約的に格納されて、たとえば分散型の建物サーバ上ではなくクラウドに格納されて提供される、ということが提供される。このため、一方では、知識が豊富な技術者が遠隔設定および遠隔保守を行なうことができ、他方では、装置は、はるかにより費用効果が高く場所を取らない構成でユーザに提供され得る。なぜなら、プログラム、データおよびルーチンの分散型の格納、ならびに、格納および制御技術の冗長な提供は、過度の追加費用につながるためである。有利には、これは、たとえばクライアント対応クラウドソリューションによって、２つまたは複数の建物自動化システムを、および／または個々の建物自動化システムへの２つまたは複数のユーザアクセスを制御するために使用される、中央格納である。
【００１９】
公共および民間の建物において電子的に制御可能な装置およびシステムを制御するためのこの発明に従った方法（建物自動化方法）であって、建物と関連付けられた少なくとも１つの装置および／またはシステムと制御装置とが、装置のおよび／またはシステムの機能を制御するためのコマンドを発行するために設けられ、装置またはシステムは、その状態を、制御装置の制御コマンドの機能として選択的に変更するために構成されており、方法は、制御装置の制御コマンドが記録され、ユーザが、記録された制御コマンドのうちの１つまたは複数を、選択可能な制御ルーチンと関連付けることができることを特徴とする、方法について、独立した特許保護が請求される。
【００２０】
説明された特徴は、他に何も述べられない場合、互いに容易に組合わされてもよい。特に、装置の特徴は方法の特徴として使用されてもよく、方法の特徴は装置の特徴として使用されてもよい。
【００２１】
図面の簡単な説明
次に、この発明の特徴および特性ならびに他の利点を、図面を参照して、有利な実施形態に基づいてより詳細に説明する。
【図面の簡単な説明】
【００２２】
【図１】この発明に従った構成のデータベース構造を示す図である。
【図２】図１に従ったこの発明に従った構成の要素のブロック図である。
【図３ａ】関連付けられた制御コマンドの識別を有する、時間窓内での記録された制御コマンドの表示を示す図である。
【図３ｂ】関連付けられた制御コマンドの識別を有する、時間窓内での記録された制御コマンドの表示を示す図である。
【図４】生成可能な制御ルーチンを編集するためのスキームを示す図である。
【図５】発行された制御コマンドを手動で記録するためのユーザインターフェイスを示す図である。
【図６】この発明に従った方法を行なうための図である。
【発明を実施するための形態】
【００２３】
発明の詳細な説明
図１は、公共および民間の建物において電子的に制御可能な装置およびシステムを制御するためのこの発明に従った構成１のデータベーススキーム、ひいてはクラウドデータ構造の構成を概略的な態様で示す。
【００２４】
以下の関係は、図面に由来する場合がある。各建物３は、１人または複数のユーザ５を有し得る。各建物３は、１つまたは複数の空間７を有し得る。同様に、空間７ごとに複数の装置９がある。各装置９は、まさに１つのタイプ１１を有する。各装置９は、失効した状態のリスト１３を有する。各制御ルーチン（「アイハオス（iHaus）アクション」）１５は、１つまたは複数の装置９の１つまたは複数の制御コマンド（「アクション」）１７を有し得る。各建物３は次に、このタイプの制御ルーチン１５によって制御され得る。このため、固有の名前（「名前」）および関連付けられた日付（「日付」）を与えるために、それぞれの個々の識別番号が、建物３、ユーザ５、部屋７、装置９、タイプ１１、制御ルーチン１５、制御コマンド１７、および、日付１９と関連付けられる（「ＩＤ」）。各ユーザ５はさらに、固有のパスワード（「パスワード」）を有し得る。各建物３は、固有のアドレス（「アドレス」）を有し得る。各部屋は、固有の画像（「画像」）と関連付けられてもよく、各装置は、固有の位置（「位置」）、固有の状態（「状態」）および制御手法アドレス（「アドレス」）と関連付けられてもよく、各タイプ（装置タイプ）（「タイプ」）は、制御および動作に使用される固有のロゴ（「アイコン」）と関連付けられてもよい。各装置タイプ（「タイプ」）は、１つの特定のデータタイプ（「日付」）のみを基礎として有する。データタイプは、たとえば（「オン／オフ」）または間隔［０；１］のみであってもよい。なぜならそれは、中間ステップがそこで可能なので、ランプおよびシャッターを暗くするためにとりわけ有用であるからである。追加のデータタイプが考えられ、このためテレビは、データタイプとしてのプログラム量、ひいては格納された送信器を有し得る。
【００２５】
図２は、図１に従ったこの発明に従った構成１の要素のブロック図を概略的に示す。クライアントソフトウェア２１が提供され、それはウェブサーバ２３によってインターネットを通してタブレット２５または別のクライアントに配信される、ということが明らかである。このクライアント２５は、ソケットサーバ２７、たとえばノードサーバと通信し、それは、装置、たとえばホームサーバ３３への、持続しているＴＣＰ接続２９、もしくは互いに好適なタイプの有線ベースのまたは無線の接続を確立でき、ホームサーバ３３は、建物３１に配置されたテレビ３５およびステレオ３７として構成された、接続された家電装置を有する。このソケットサーバ２７は、メッセージ、たとえばそれぞれの建物３１の装置３３、３５、３７のステータス報告を待ち、それらをクライアント２５に報告する。報告が連続して行なわれた場合、クライアント２５は、クラウド４１のデータベース３９において記録変更を引き起こす。
【００２６】
知識が豊富な技術者４３がソフトウェアをインストールし、ソフトウェアを設定する。ユーザ４５による設定は望ましくない。特別の管理画面４７が技術者４３に提供される。技術者４３はさらに、ホームサーバ３３を通して建物の装置３３、３５、３７を設定し、ウェブサーバ２３を通してデータベース３９を設定する。
【００２７】
すべてのユーザとの対話処理および関連付けられた制御コマンドは、建物３１ごとの分散型の格納が必要とされないように、クラウド４１のデータベース３９に集約的に格納される。
【００２８】
この発明に従って使用される制御ルーチン（iHausアクション）は、予め定められた期間に発行された１つまたは複数の装置３３、３５、３７の組合わされた制御コマンド（アクション）である。このため、有利には、ユーザ４５によって発行された制御コマンドのみが考慮される。なぜなら、これはユーザの習慣の評価に関するためである。
【００２９】
図３ａ、図３ｂは、関連付けられた制御コマンドの識別を有する、時間窓内での概略的な制御コマンドを示す図であり、そのようなユーザの習慣を、「ＴＶニュース」という制御ルーティンに関連して説明する。
【００３０】
テレビでニュースを見ることに鑑みて、最もよく相互に関連するいくつかのアクションを短期間に行なわなければならない、ということが明らかである。テレビを見る部屋のシャッターが閉じられ、この部屋のラジオがオフにされ、テレビがオンにされ、部屋のランプがオフにされ、部屋の別のランプが暗くされる（図３ａ参照）。これらの制御コマンドのうちのいくつかは、ニュース放送の後で逆の順序で実行されるが、すべてではない。シャッターはたとえば閉じられている（図３ｂ参照）。
【００３１】
この発明に従った装置１は、タブレット２５のユーザインターフェイスを通して実行されたすべての制御コマンドを、および有利にはこれらの制御コマンドのみを記録する。タイムラインビュー（図６）を呼び出すと、現在時刻の後に行なわれたすべての制御コマンドが図示される（図３ａ、図３ｂ参照）。第１の制御ルーチン５１のマーキング５１の幅に対応する、ある特定の期間、たとえば５分という公差値内で行なわれた最後の制御コマンド５３ａ、５３ｂ、５３ｃが、第１の制御ルーチン５１を組合わせるために予め選択される。
【００３２】
ユーザ４５はここで、制御コマンド５３ａ、５３ｂ、５３ｃを第１の制御ルーチン５１として、ある特定の名前で格納するオプションを有する。
【００３３】
制御要素（「前へ」および「後へ」）を使用して、ユーザ４５は、好適な制御ルーチン５５についての追加の提案を得ることができ、次に、公差値内で順に行なわれるさらに後方の次の制御コマンド５７ａ、５７ｂ、５７ｃ、５７ｄ、５７ｅが、マーキングされる（５５）（図３ｂ参照）。これらの制御ルーチン５５も、オプションでユーザ４５によって格納され得る。
【００３４】
このため、図３ａおよび図３ｂに関し、たとえば「ＴＶメッセージ終了」５１および「ＴＶメッセージ開始」５５というそれぞれの制御ルーチンが決定され、格納され得る。
【００３５】
さらに、より多い、またはより少ない制御コマンド５３ａ、５３ｂ、５３ｃ、５７ａ、５７ｂ、５７ｃ、５７ｄ、５７ｅが制御ルーチン５１、５５についての提案と関連付けられるように、指をワイプすることによって公差、ひいてはマーキング５１、５５を増加または減少させるオプションがある。さらに、装置３３、３５、３７、５９ａ、５９ｂ、５９ｃを選択肢から除去する、または入力を用いて関連付けられた制御パラメータを適合させるオプションがある。
【００３６】
ユーザが、制御ルーチン５１、５５を選択することによって、予め定められた制御コマンド５７は制御ルーチン５１、５５内で実体的に使用できないと直ちにまたは後で判断した場合、ユーザ４５は、この制御コマンド５３ａ、５３ｂ、５３ｃ、５７ａ、５７ｂ、５７ｃ、５７ｄ、５７ｅを制御ルーチン５１、５５から直ちにまたは後で除去することができ、または、それを好適な態様で適合させること、たとえば別のランプ５９ｂの光をもっと暗くすることができる。
【００３７】
制御ルーチン５１、５５、６１、６３、６５におけるそれぞれの制御コマンドのそのような除去または適合のために、この発明に従った図４によれば、個々の制御コマンドの除去および／または追加をそれらの効果に関して直接追跡できるように、制御ルーチン５１、５５、６１、６３、６５全体が実行される、ということが提供される。
【００３８】
さらに、ある特定の時点で制御ルーチン５１、５５、５９、６１、６３を実行するオプションがある。このため、制御ルーチン５１、５５、５９、６１、６３の開始および終了の時点が入力でき、また、制御ルーチン５１、５５、５９、６１、６３をどの間隔で実行すべきか、たとえば１回、毎日、毎週、または毎月実行すべきかについて指定することもできる。
【００３９】
制御ルーチンを生成する代替的な、または追加のオプションを、図５に概略的に示す。別の表現で言うと、図５は、発行された制御コマンドを手動で記録するためのユーザインターフェイス７１を示す。ユーザ４５は、ある特定の空間（図６の「空間」参照）について実行中の建物機器３５、３７、５９ａ、５９ｂ、５９ｃのために自分が発行したすべての制御コマンドの記録７３を行なうことができる、ということが明らかである。こうして実行された制御コマンド（「記録されたアクション」）は次に、新しい制御ルーチンとして格納可能であり（「格納」）、それも次に編集可能である（図４参照）。
【００４０】
図６は、この発明に従った方法８１を行なうための概略図を示す。ユーザ４５は構成１にログインして（「login（）」）、自分のタブレット２３上で「ホーム画面」を見る、ということが明らかである。このホーム画面を通して、ユーザは、個々の装置（３３、３５、３７、５９ａ、５９ｂ、５９ｃ）のステータス変更をしないステータス問合せ（「ステータス問合せ」）、個々の空間３、提供された制御ルーチン５１、５５（iHausアクション）、および制御コマンドの永続的記録（「タイムライン」）についてのメニューに、タッピング（「tab（）」）によって入ることができる。
【００４１】
このレベルの建物３では、装置３３、３５、３７、５９ａ、５９ｂ、５９ｃの装置状態（「装置状態」）が変更され（８３）、読出され（８４）、クラウド４１に配置されたデータベース（「データベース」）に供給され（８５）、およびオプションで装置３３、３５、３７、５９ａ、５９ｂ、５９ｃで同時に表示される（８７）。空間（「空間」）および制御ルーチン（「iHausアクション」）というメニューを通して、装置３３、３５、３７、５９ａ、５９ｂ、５９ｃの状態に影響を与える（８９、９１）ことができ、現在の状態が表示され得る（８９、９１）。
【００４２】
ステータス問合せ（「ステータス問合せ」）中、制御コマンドの永続的記録（「タイムライン」）中、および各ユーザ４５のパスワードのチェックのために、クラウド４１に配置されたデータベース３９から情報が提供される。
【００４３】
前述の図から、この発明の多くの利点が明らかである。
このため、頻繁に再発する制御コマンドは、視覚的表現によって検出され、次に制御ルーチンに組合わされ得る。
【００４４】
制御コマンドは、制御ルーチンに供給される前に常に実行されるため、ユーザ４５は、さまざまな制御コマンドの効果または対話処理についての徹底した理解を何ら必要としない。これは、既存の制御コマンドの編集にも当てはまる。
【００４５】
制御コマンドを抽象的なより高度の制御ルーチンへと組合わせることにより、建物での手順を簡略化することができる。なぜなら、それらは単一のコマンドによってトリガされ得るためである。これは、制御コマンドの別々の実行と比べて、より優れた快適性および時間の節約を意味する。
【００４６】
加えて、ユーザは、建物３で実行される制御コマンドのより良好な概要を得る。これは、建物自動化のより効率的な使用に、ひいては省エネルギーにもつながる。
【００４７】
制御コマンドはユーザ４５によって明確にトリガされ、建物自動化システムによって前もって自動的にトリガされないため、ユーザ４５は完全な制御の感覚を有する。
【符号の説明】
【００４８】
参照番号および名称
１：この発明に従った制御構成、３：建物、５：ユーザ、７：空間、９：装置、１１：装置タイプ、１３：過去の状態のリスト、１５：制御ルーチン、１７：制御コマンド、１９：日付、２１：クライアントソフトウェア、２３：ウェブサーバ、２５：タブレット、２７：ソケットサーバ、２９：ＴＣＰ接続、３１：建物、３３：ホームサーバ、３５：テレビ、３７：ステレオシステム、３９：データベース、４１：クラウド、４３：技術者、４５：ユーザ、４７：管理画面、５１：第１の制御ルーチン、マーキング、５３ａ、５３ｂ、５３ｃ：制御コマンド、５５：制御ルーチン、５７ａ、５７ｂ、５７ｃ、５７ｄ、５７ｅ：制御コマンド、５９ａ、５９ｂ、５９ｃ：装置、６１、６３、６５：制御ルーチン、７１：ユーザインターフェイス、７３：記録、８１：この発明に従った制御方法、８３：装置状態の変更、８４：装置状態の読出し、８５：データベースへの装置状態の供給、８７：装置状態の表示、８９、９１：装置状態に影響を与え、表示。
【図１】
2016524425.tif 000003
【図２】
2016524425.tif 000004
【図３ａ】
2016524425.tif 000005
【図３ｂ】
2016524425.tif 000006
【図４】
2016524425.tif 000007
【図５】
2016524425.tif 000008
【図６】
2016524425.tif 000009
【手続補正書】
【提出日】平成27年4月27日(2015.4.27)
【手続補正１】
【補正対象書類名】特許請求の範囲
【補正対象項目名】全文
【補正方法】変更
【補正の内容】
【特許請求の範囲】
【請求項１】
公共および民間の建物（３、３１）において電子的に制御可能な装置（３３、３５、３７、５９ａ、５９ｂ、５９ｃ）およびシステムを制御するための構成（１）であって、
少なくとも１つの装置（３３、３５、３７、５９ａ、５９ｂ、５９ｃ）および／またはシステムと、装置（３３、３５、３７、５９ａ、５９ｂ、５９ｃ）のおよび／またはシステムの機能を制御するためのコマンド（１７、５３ａ、５３ｂ、５３ｃ、５７ａ、５７ｂ、５７ｃ、５７ｄ、５７ｅ）を発行するために建物（３、３１）と関連付けられた制御装置（２３、２５、２７、４１）とを含み、
装置（３３、３５、３７、５９ａ、５９ｃ、５９ｃ）またはシステムは、その状態を、制御装置（２３、２５、２７、４１）の制御コマンドの機能として選択的に変更するように構成されており、
構成（１）は、
制御装置（２３、２５、２７、４１）の制御コマンド（１７、５３ａ、５３ｂ、５３ｃ、５７ａ、５７ｂ、５７ｃ、５７ｄ、５７ｅ）を記録するための装置（２３、３５、３９）が設けられ、
構成（１）のユーザ（４５）が、記録された制御コマンド（１７、５３ａ、５３ｂ、５３ｃ、５７ａ、５７ｂ、５７ｃ、５７ｄ、５７ｅ）のうちの１つまたは複数を、選択可能な制御ルーチン（１５、５１、５５）と関連付けることを可能にする、関連付け装置（２３、２５、３９）が設けられ、
相互に関連する制御コマンド（５３ａ、５３ｂ、５３ｃ、５７ａ、５７ｂ、５７ｃ、５７ｄ、５７ｅ）を制御ルーチン（５１、５５）と関連付けるようにユーザ（４５）に提案する、相互に関連する制御コマンド（５３ａ、５３ｂ、５３ｃ、５７ａ、５７ｂ、５７ｃ、５７ｄ、５７ｅ）を識別するための装置（２３、２５）が設けられ、
識別するための装置（２３、２５）は、制御コマンド（５３ａ、５３ｂ、５３ｃ、５７ａ、５７ｂ、５７ｃ、５７ｄ、５７ｅ）を付随的なものとして識別するように構成されており、
制御コマンドは、予め定められた期間内で、および／または特定の空間（７）のシステムまたは装置（３５、３７、５９ａ、５９ｂ、５９ｃ）のために提供されることを特徴とする、構成（１）。
【請求項２】
選択された期間、特に経過した期間における制御コマンド（１７、５３ａ、５３ｂ、５３ｃ、５７ａ、５７ｂ、５７ｃ、５７ｄ、５７ｅ）を表示するために、表示装置（２５）が設けられることを特徴とする、請求項１に記載の構成（１）。
【請求項３】
制御コマンド（１７、５３ａ、５３ｂ、５３ｃ、５７ａ、５７ｂ、５７ｃ、５７ｄ、５７ｅ）を記録するための装置（２３、２５、３９）は、ユーザ（４５）によって起動された制御コマンド（１７、５３ａ、５３ｂ、５３ｃ、５７ａ、５７ｂ、５７ｃ、５７ｄ、５７ｅ）のみを記録するように構成されていることを特徴とする、請求項１または２に記載の構成（１）。
【請求項４】
予め定められた期間は多くて１５分、有利には多くて１０分、特に多くて５分であることを特徴とする、前述の請求項のうちの１項に記載の構成（１）。
【請求項５】
記録するための装置（２３、２５）は、記録の開始点および／または終了点がユーザ（４５）によって決定可能であるように構成されており、関連付け装置（２３、２５）は、すべてのそのような記録された制御コマンドを制御ルーチンと関連付けるように構成されているということが有利に提供されることを特徴とする、前述の請求項のうちの１項に記載の構成（１）。
【請求項６】
制御装置（２３、２５、２７、４１）は、予め定められた時点で、および／またはユーザ（４５）による起動の直後に、制御ルーチン（１５、５１、５５）を自動的に実行するように構成されていることを特徴とする、前述の請求項のうちの１項に記載の構成（１）。
【請求項７】
構成（１）は、ユーザ（４５）が、既存の制御ルーチン（１５、５１、５５）から制御コマンド（１７、５３ａ、５３ｂ、５３ｃ、５７ａ、５７ｂ、５７ｃ、５７ｄ、５７ｅ）を除去すること、または制御コマンドを制御ルーチンと関連付けることを可能にするように構成されていることを特徴とする、前述の請求項のうちの１項に記載の構成（１）。
【請求項８】
公共および民間の建物（３、３１）において電子的に制御可能な装置（３３、３５、３７、５９ａ、５９ｂ、５９ｃ）およびシステムを制御するための方法であって、
建物（３、３１）と関連付けられた少なくとも１つの装置（３３、３５、３７、５９ａ、５９ｂ、５９ｃ）および／またはシステムと、装置（３３、３５、３７、５９ａ、５９ｂ、５９ｃ）および／またはシステムの機能を制御するためのコマンド（１７、５３ａ、５３ｂ、５３ｃ、５７ａ、５７ｂ、５７ｃ、５７ｄ、５７ｅ）を発行するための制御装置（２３、２５、２７、４１）とが設けられ、装置またはシステムは、その状態を、制御装置（２３、２５、２７、４１）の制御コマンド（１７、５３ａ、５３ｂ、５３ｃ、５７ａ、５７ｂ、５７ｃ、５７ｄ、５７ｅ）の機能として選択的に変更するために構成されており、
方法は、
制御装置（２３、２５、２７、４１）の制御コマンド（１７、５３ａ、５３ｂ、５３ｃ、５７ａ、５７ｂ、５７ｃ、５７ｄ、５７ｅ）が記録され、
方法のユーザ（４５）が、記録された制御コマンド（１７、５３ａ、５３ｂ、５３ｃ、５７ａ、５７ｂ、５７ｃ、５７ｄ、５７ｅ）のうちの１つまたは複数を、選択可能な制御ルーチン（１５、５１、５５）と関連付けることができ、
相互に関連する制御コマンド（５３ａ、５３ｂ、５３ｃ、５７ａ、５７ｂ、５７ｃ、５７ｄ、５７ｅ）が識別され、相互に関連する制御コマンド（５３ａ、５３ｂ、５３ｃ、５７ａ、５７ｂ、５７ｃ、５７ｄ、５７ｅ）を制御ルーチン（５１、５５）と関連付けることがユーザ（４５）に提案され、
予め定められた期間内で、および／または特定の空間（７）のシステムまたは装置（３５、３７、５９ａ、５９ｂ、５９ｃ）のために発行された制御コマンドは、相互に関連するとして識別されることを特徴とする、方法。
【請求項９】
請求項１〜７のうちの１項に記載の構成が使用されることを特徴とする、請求項８に記載の方法。
【国際調査報告】
2016524425.tif 000010
2016524425.tif 000011
2016524425.tif 000012
2016524425.tif 000013
2016524425.tif 000014
2016524425.tif 000015